(57)【要約】【課題】着用しやすい仕立衿及び着物用インナーセットを提供する。【解決手段】仕立衿本体１１と、その衿本体１１の真中付近から斜め右下に延びる右紐１２１と、衿本体１１の真中付近から斜め左下に延びる左紐１２２とを有し、衿本体１１が使用者の首の後にセットされた状態で、衿本体１１の右側部分が使用者の胸の前を通って端部が使用者の左側に、かつ衿本体１１の左側部分が使用者の胸の前を通って衿本体１１の右側部分の上に重なって交差して端部が使用者の右側に仮置きされ、右紐１２１が使用者の胸の右側を、かつ左紐１２２が使用者の胸の左側を通って両紐が使用者のアンダーバストの周囲に巻き回されて互いに結ばれ、衿本体１１の右側部分が使用者に巻き回されている紐の使用者の左側に位置する箇所に結ばれて固定されるとともに衿本体１１の左側部分が使用者に巻き回されている紐の使用者の右側に位置する箇所に結ばれて固定される仕立衿１０である。【選択図】図１
0003226488.tif 000002
【実用新案登録請求の範囲】
【請求項１】
仕立衿本体と、
前記仕立衿本体の真中付近から斜め右下に延びるように設けられた右たすき紐と、
前記仕立衿本体の真中付近から斜め左下に延びるように設けられた左たすき紐と、
を有し、
前記仕立衿本体が使用者の首の後にセットされた状態で、前記仕立衿本体の右側部分が使用者の胸の前を通って端部が使用者の左側に位置するように仮置きされるとともに前記仕立衿本体の左側部分が使用者の胸の前を通って前記仕立衿本体の右側部分の上に重なって交差して端部が使用者の右側に位置するように仮置きされ、前記右たすき紐が使用者の胸の右側を通るとともに前記左たすき紐が使用者の胸の左側を通って両たすき紐が使用者のアンダーバストの周囲に巻き回されて互いに結ばれ、前記仕立衿本体の右側部分が使用者に巻き回されているたすき紐の使用者の左側に位置する箇所に結ばれて固定されるとともに前記仕立衿本体の左側部分が使用者に巻き回されているたすき紐の使用者の右側に位置する箇所に結ばれて固定される、
仕立衿。
【請求項２】
請求項１に記載の仕立衿において、
前記仕立衿本体に設けられ、着脱自在な袖を取り付けるための取付部を有する、
仕立衿。
【請求項３】
請求項１又は請求項２に記載の仕立衿において、
前記仕立衿本体に設けられ、着物と結合するための結合部を有する、
仕立衿。
【請求項４】
請求項２又は請求項３に記載の仕立衿と、
前記取付部に取り付けられた袖と、
を有する着物用インナーセット。
【考案の詳細な説明】
【技術分野】
【０００１】
この考案は、仕立衿及び着物用インナーセットに関する。
【背景技術】
【０００２】
着物の着用に際しては、肌着（肌襦袢）及び長襦袢を着て、その上に着物を着るのが一般的である。長襦袢には袖があり、衿（半衿）が縫い付けられている。着物を着ても見える長襦袢の袖や衿（半衿）が着物全体の雰囲気に影響するので非常に重要である。
【０００３】
しかしながら、肌着（肌襦袢），長襦袢を着て、その上に着物を重ねて着付けることは煩雑であり、着物を着慣れない人たちから敬遠されやすい。また暑い時期も避けられがちである。
【０００４】
このようなことから、着物を簡易的に着る方法が種々提案されている。そのひとつが肌着に付けることができる半衿や袖である。このような半衿や袖を使用すれば、長襦袢を着用していなくても見た目には分からない。このような衿は、「うそつき衿」「美容衿」などの名称で商品化されている。また特許文献１では、長襦袢を省略可能な仕立衿が提案されている。
【先行技術文献】
【特許文献】
【０００５】
【特許文献１】実用新案登録第３２０６８５１号公報
【考案の概要】
【考案が解決しようとする課題】
【０００６】
しかしながら、前述した従来の仕立衿では、背中心に垂れ下がった布を手で下方に引いて衣紋を抜き、さらにその位置を保つために背中の通し紐に手探りで紐を通す必要があった。このため、うしろに手を回しづらい、見づらいなど、着用しにくいという問題があった。
【０００７】
本考案は、このような従来の問題点に着目してなされた。本考案の目的は、着用しやすい仕立衿及び着物用インナーセットを提供することである。
【課題を解決するための手段】
【０００８】
本考案は以下のような解決手段によって前記課題を解決する。なお、理解を容易にするために本考案の実施形態に対応する符号を括弧書きするが、これに限定されるものではない。また符号を付して説明した構成は適宜代替しても改良してもよい。
【０００９】
第１の態様は、
仕立衿本体（１１）と、
前記仕立衿本体（１１）の真中付近から斜め右下に延びるように設けられた右たすき紐（１２１）と、
前記仕立衿本体（１１）の真中付近から斜め左下に延びるように設けられた左たすき紐（１２２）と、
を有し、
前記仕立衿本体（１１）が使用者（７０）の首の後にセットされた状態で、前記仕立衿本体（１１）の右側部分が使用者（７０）の胸の前を通って端部が使用者（７０）の左側に位置するように仮置きされるとともに前記仕立衿本体（１１）の左側部分が使用者（７０）の胸の前を通って前記仕立衿本体（１１）の右側部分の上に重なって交差して端部が使用者（７０）の右側に位置するように仮置きされ、前記右たすき紐（１２１）が使用者（７０）の胸の右側を通るとともに前記左たすき紐（１２２）が使用者（７０）の胸の左側を通って両たすき紐が使用者（７０）のアンダーバストの周囲に巻き回されて互いに結ばれ、前記仕立衿本体（１１）の右側部分が使用者（７０）に巻き回されているたすき紐の使用者（７０）の左側に位置する箇所に結ばれて固定されるとともに前記仕立衿本体（１１）の左側部分が使用者（７０）に巻き回されているたすき紐の使用者（７０）の右側に位置する箇所に結ばれて固定される、
仕立衿（１０）である。
【００１０】
第２の態様は、第１の態様の仕立衿（１０）において、
前記仕立衿本体（１１）に設けられ、着脱自在な袖（２０）を取り付けるための取付部（１１３）を有する、
仕立衿（１０）である。
【００１１】
第３の態様は、第１又は第２の態様の仕立衿（１０）において、
前記仕立衿本体（１１）に設けられ、着物と結合するための結合部（１１１）を有する、
仕立衿（１０）である。
【００１２】
第４の態様は、
第２又は第３の態様の仕立衿（１０）と、
前記取付部（１１３）に取り付けられた袖（２０）と、
を有する着物用インナーセット（１）である。
【考案の効果】
【００１３】
この態様によれば、容易に着用することができる。
【図面の簡単な説明】
【００１４】
【図１】図１は、着物用インナーセットの一実施形態を示す図である。
【図２】図２は、使用者が仕立衿本体を首にかけたときの様子を示す図である。
【図３】図３は、使用者が仕立衿本体を首にかけたときの様子を使用者の背中側から示す図である。
【図４】図４は、使用者が仕立衿本体の右衿及び左衿の位置を調整している様子を示す図である。
【図５】図５は、使用者が衣紋の抜き加減を調整している様子を示す図である。
【図６】図６は、使用者が右たすき紐及び左たすき紐の位置を固定した様子を示す図である。
【図７】図７は、使用者が右たすき紐及び左たすき紐の位置を固定した様子を使用者の背中側から示す図である。
【図８】図８は、使用者が着物用インナーセット（仕立衿）を着用した様子を示す図である。
【図９】図９は、使用者が袖の取り付けられている状態の着物用インナーセット（仕立衿）を着用した様子を示す図である。
【図１０】図１０は、着物用インナーセットの別の実施形態を示す図である。
【考案を実施するための形態】
【００１５】
以下、添付図面を参照しながら本考案の実施形態について説明する。
【００１６】
図１は、着物用インナーセットの一実施形態を示す図である。
本実施形態の着物用インナーセット１は、仕立衿１０と、袖２０とを含む。
【００１７】
仕立衿１０は、仕立衿本体１１と、右たすき紐１２１と、左たすき紐１２２とを有する。
【００１８】
仕立衿本体１１は、使用者が身に着けた状態で衿自体を構成するものである。仕立衿本体１１は、長襦袢の半衿に相当する。仕立衿本体１１には、芯材（不図示）が入れられている。仕立衿本体１１の真中付近には、三角布１１１が縫い付けられている。また仕立衿本体１１の真中付近には、着物（不図示）と結合するための結合紐１１２が縫い付けられている。仕立衿本体１１の右側には、２個のスナップボタン１１３が舌片布を介して取り付けられている。仕立衿本体１１の左側にも、２個のスナップボタン１１３が舌片布を介して取り付けられている。
【００１９】
右たすき紐１２１は、三角布１１１の右側に縫い付けられている。右たすき紐１２１は、斜め右下方向に延びている。
【００２０】
左たすき紐１２２は、三角布１１１の左側に縫い付けられている。左たすき紐１２２は、斜め左下方向に延びている。なお本実施形態では、左たすき紐１２２と右たすき紐１２１との長さが異なる。特に本実施形態では、左たすき紐１２２が右たすき紐１２１よりも長くなっている。
【００２１】
袖２０（右袖２１及び左袖２２）には、袖口とは反対側に３個のスナップボタン２００が舌片布を介して取り付けられている。袖２０（右袖２１及び左袖２２）は、肩当３０（右肩当３１及び左肩当３２）を介して仕立衿本体１１に取り付けられる。
【００２２】
すなわち、肩当３０（右肩当３１及び左肩当３２）には、スナップボタン３０１が取り付けられている。本実施形態では、図１に示されているように肩当３０（右肩当３１及び左肩当３２）の右辺に沿って３個のスナップボタン３０１が一列に並ぶように取り付けられているとともに、肩当３０（右肩当３１及び左肩当３２）の左辺に沿って３個のスナップボタン３０１が一列に並ぶように取り付けられ、さらにその真中に３個のスナップボタン３０１が一列に並ぶように取り付けられている。
【００２３】
また、肩当３０（右肩当３１及び左肩当３２）の裏側であって右上角及び左上角にはスナップボタン３０２がひとつずつ取り付けられている。
【００２４】
スナップボタン３０１に、袖２０（右袖２１及び左袖２２）のスナップボタン２００が留められるとともに、スナップボタン３０２に、仕立衿本体１１のスナップボタン１１３が留められることで、袖２０（右袖２１及び左袖２２）が、肩当３０（右肩当３１及び左肩当３２）を介して仕立衿本体１１に取り付けられる。
【００２５】
（使用方法）
次に、図２〜図８を参照して着物用インナーセット１の使用方法について説明する。なお説明の煩雑を避けるために、袖２０（右袖２１及び左袖２２）については省略して仕立衿１０の着用方法について説明する。
【００２６】
図２は、使用者が仕立衿本体を首にかけたときの様子を示す図である。
使用者７０は、仕立衿本体１１を首にかける。このとき、図２に示されているように、仕立衿本体１１の真中付近が使用者７０の首の後ろにあって仕立衿本体１１の衿先１１ａが使用者７０の前にある。
【００２７】
図３は、使用者が仕立衿本体を首にかけたときの様子を使用者の背中側から示す図である。
このときの様子を使用者の背中側から見ると、右たすき紐１２１及び左たすき紐１２２は、図３に示されているように垂れ下がっている。
【００２８】
図４は、使用者が仕立衿本体の右衿及び左衿の位置を調整している様子を示す図である。
次に使用者７０は、図４に示されているように、仕立衿本体１１の左衿１１Ｌを右衿１１Ｒの上に重ねて仮置きする。
【００２９】
図５は、使用者が衣紋の抜き加減を調整している様子を示す図である。
次に使用者７０は、図５に示されているように、右手で右たすき紐１２１を持つとともに、左手で左たすき紐１２２を持って、右たすき紐１２１及び左たすき紐１２２を手前に引き出す。使用者７０が右たすき紐１２１及び左たすき紐１２２を手前に引けば引くほど衣紋が抜ける。衣紋が抜けすぎてしまった場合は、使用者７０は、首の後ろに手を回して衿を掴んで上げたり、仕立衿本体１１の衿先を引く。このようにして、使用者７０は、衣紋の抜き加減を調整する。
【００３０】
図６は、使用者が右たすき紐及び左たすき紐の位置を固定した様子を示す図である。
衣紋の位置が決まったら、次に、使用者７０は、図６に示されているように、右たすき紐１２１及び左たすき紐１２２をアンダーバストのあたりに巻き回し、両たすき紐をしばる。このとき、左たすき紐１２２と右たすき紐１２１との長さが異なれば、結び目が胸の横に来る。このときの使用者７０の後ろ姿は、図７のようになる。
【００３１】
図８は、使用者が着物用インナーセット（仕立衿）を着用した様子を示す図である。
そして、使用者７０は、図８に示されているように、仕立衿本体１１の右衿先を、使用者７０に巻き回されているたすき紐の使用者７０の左側に位置する箇所にからげるとともに、仕立衿本体１１の左衿先を、使用者７０に巻き回されているたすき紐の使用者７０の右側に位置する箇所にからげる。このようにすることで、仕立衿本体１１の位置が固定される。
【００３２】
そして、使用者７０は、この上に着物を羽織る。
【００３３】
なお、上記説明においては、説明の煩雑を避けるために、袖２０（右袖２１及び左袖２２）については省略して仕立衿１０の着用方法について説明したが、袖２０（右袖２１及び左袖２２）を肩当３０（右肩当３１及び左肩当３２）を介して仕立衿本体１１に取り付けた状態で仕立衿１０の着用すれば、図９のようになる。
【００３４】
以上説明した実施形態によれば、以下のような作用効果が得られる。
長襦袢を着用することなく着物を着付けることができるので、たとえば、あまり重ね着をしたくない暑い時期に、本実施形態の着物用インナーセットを着用して、その上に単衣の着物を着れば、あたかも長襦袢を着ているように見える。浴衣の着付けを覚えた着物初心者が、単衣の夏着物と半幅帯に無理なく挑戦することが可能になる。
【００３５】
また、後に手を回して衣紋の抜き加減を調整することに比べて、本実施形態によれば、使用者７０の脇を通って手前に引き出された右たすき紐及び左たすき紐を引くことで、衣紋の抜き加減を調整できるので、調整が容易で、自由度がアップする。
【００３６】
右たすき紐１２１及び左たすき紐１２２は、仕立衿本体１１の真中付近から斜め下に延びるように設けられているので、使用者７０は、右たすき紐１２１及び左たすき紐１２２をつかみやすい。そして、右たすき紐１２１及び左たすき紐１２２を、たすき掛けのように使用することで、仕立衿１０が安定する。また仕立衿１０を固定しやすい。
【００３７】
このように、背中心から斜めに２本紐（右たすき紐１２１及び左たすき紐１２２）を付けることで、無理なく紐を掴むことができ、両方を前に引くことで簡単に好みの抜き加減にすることができる。そして、その２本紐を結ぶことで、たすき掛けのような感じになり、しっかりと安定する。
【００３８】
袖２０（右袖２１及び左袖２２）は、仕立衿１０に着脱自在である。袖２０を付ける／付けないは、使用者７０の自由であり、袖２０を付けないで、仕立衿１０だけで使用することも可能である。たとえば、袖付きの肌着（肌襦袢）を使用する場合は、袖２０を付けずに仕立衿１０だけで使用すればよい。気温や、使用者７０の手持ちのものや好みなどに合わせて、多様な使用方法が可能である。
【００３９】
袖２０は、肩当３０を介して仕立衿１０に取り付けられるが、肩当３０には、スナップボタン３０１が列状に並んでいる。そこで、袖２０を肩当３０のどのスナップボタン３０１に取り付けるかで、裄の長さを調整でき、使用者７０は、自分サイズに合わせたり、手持ちの着物のサイズに合わせたりすることが自在である。
【００４０】
また、着物の衿中心には、スナップがついていることが多い。本実施形態では、仕立衿本体１１の中心付近に、結合紐１１２を設けられているので、背中心で仕立衿１０と着物とをつなぐことが可能になる。これは、自分一人で着用する際には使用が難しいが、他の人に着付けを手伝ってもらえる場合には、背中心のズレや着崩れを防止することに効果を発揮する。
【００４１】
右たすき紐１２１と左たすき紐１２２との長さが異なれば、結び目が胸の横に来るので、結び目が邪魔にならず、すっきりと着付けることが可能である。
【００４２】
以上説明したように、本実施形態によれば、より簡単に装着可能であって、気温に応じた柔軟な着方をすることができる。暑い時期は、とかく着物が避けられがちであるが、本実施形態による仕立衿１０や着物用インナーセット１を使用することで、暑い時期であっても着物を着用しようという意欲が向上し、着物の着用機会が増加する。着物初心者に対しては、浴衣から夏着物（単衣）へのスムーズなステップアップの後押しとなり、ひいては、日本の伝統文化、着物の衰退が著しく危機的状況と言わざるを得ない現状を食い止めることに貢献できるのである。
【００４３】
以上、本考案の実施形態について説明したが、上記実施形態は本考案の適用例の一部を示したに過ぎず、本考案の技術的範囲を上記実施形態の具体的構成に限定する趣旨ではない。
【００４４】
たとえば、上記実施形態においては、仕立衿１０，袖２０及び肩当３０にスナップボタンを設けて、これらのスナップボタンを留めることで、仕立衿１０及び肩当３０並びに袖２０及び肩当３０を取り付けていたが、これには限られない。面ファスナー（登録商標「マジックテープ」など）を使用しても良いし、たとえば、肩当３０にボタンホールを作るとともに、仕立衿１０及び袖２０にボタンを縫い付けてもよい。もしくは、ボタンに代えて紐であってもよい。その場合は、ボタンホールに紐を通して結ぶようにすればよい。
【００４５】
また、仕立衿本体１１は、バチ衿であっても広衿仕立てであってもよい。
【００４６】
図１０に示すように、衿先に紐通し１１４を付けてもよい。図６のように、使用者７０が、右たすき紐１２１及び左たすき紐１２２をアンダーバストのあたりに巻き回す際に、右たすき紐１２１及び左たすき紐１２２を、この紐通し１１４に通すようにすれば、衿先を紐にからげるに近い効果が得られ、安定する。
【００４７】
なお、仕立衿本体１１及び袖２０の材質は、夏用のものを使用することで、一層涼しくなるが、袷時期用のものを使用してもよい。
【符号の説明】
【００４８】
１  着物用インナーセット
１０  仕立衿
１１  仕立衿本体
１１１  結合部
１１３  取付部
１２１  右たすき紐
１２２  左たすき紐
２０  袖
２１  右袖
２２  左袖
３０  肩当
３１  右肩当
３２  左肩当
【図１】
0003226488.tif 000003
【図２】
0003226488.tif 000004
【図３】
0003226488.tif 000005
【図４】
0003226488.tif 000006
【図５】
0003226488.tif 000007
【図６】
0003226488.tif 000008
【図７】
0003226488.tif 000009
【図８】
0003226488.tif 000010
【図９】
0003226488.tif 000011
【図１０】
0003226488.tif 000012
【手続補正書】
【提出日】令和2年3月11日(2020.3.11)
【手続補正１】
【補正対象書類名】実用新案登録請求の範囲
【補正対象項目名】全文
【補正方法】変更
【補正の内容】
【実用新案登録請求の範囲】
【請求項１】
仕立衿本体と、
前記仕立衿本体の真中付近から斜め右下に延びるように設けられた右たすき紐と、
前記仕立衿本体の真中付近から斜め左下に延びるように設けられた左たすき紐と、
を有し、
前記仕立衿本体が使用者の首の後にセットされた状態で、前記仕立衿本体の右側部分が使用者の胸の前を通って端部が使用者の左側に位置するように仮置きされるとともに前記仕立衿本体の左側部分が使用者の胸の前を通って前記仕立衿本体の右側部分の上に重なって交差して端部が使用者の右側に位置するように仮置きされ、前記右たすき紐が使用者の胸の右側を通るとともに前記左たすき紐が使用者の胸の左側を通って両たすき紐が使用者のアンダーバストの周囲に巻き回されて互いに結ばれ、前記仕立衿本体の右側部分が使用者に巻き回されているたすき紐の使用者の左側に位置する箇所に結ばれて固定されるとともに前記仕立衿本体の左側部分が使用者に巻き回されているたすき紐の使用者の右側に位置する箇所に結ばれて固定される、
仕立衿。
【請求項２】
請求項１に記載の仕立衿において、
前記仕立衿本体に設けられ、着脱自在な袖を取り付けるための取付部を有する、
仕立衿。
【請求項３】
請求項１又は請求項２に記載の仕立衿において、
前記仕立衿本体に設けられ、着物と結合するための結合部を有する、
仕立衿。
【請求項４】
請求項２に記載の仕立衿と、
前記取付部に取り付けられた袖と、
を有する着物用インナーセット。
【手続補正２】
【補正対象書類名】明細書
【補正対象項目名】００１２
【補正方法】変更
【補正の内容】
【００１２】
第４の態様は、
第２の態様の仕立衿（１０）と、
前記取付部（１１３）に取り付けられた袖（２０）と、
を有する着物用インナーセット（１）である。